(57)【要約】【課題】画像表示装置に表示される動画像の画質の劣化を抑制する。【解決手段】ＤＶＤを再生する機能を有するプロジェクタを構成する。フレームレート変換部２２は、ＤＶＤから読み出された動画像データが、フレームレートが２４（ｆｐｓ）のフィルム映画であるときに、２−３プルダウン方式テレシネ変換を行わずに、２４（ｆｐｓ）の３倍の７２（ｆｐｓ）に変換する。また、液晶パネル３２の駆動周波数もフレームレートの変換に応じて７２（Ｈｚ）に切り換える。【選択図】  図１
2004159191.tif 000002
【特許請求の範囲】
【請求項１】
駆動周波数を切り換え可能な画像形成部に画像を表示する画像表示装置であって、
所定の動画像データを入力する入力部と、
前記動画像データのフレームレートを検出する検出部と、
前記フレームレートに基づいて、前記フレームレートの変換の要否を判断する判断部と、
前記フレームレートの変換が必要と判断されたときに、該フレームレートをｎ倍（ｎは２以上の整数）することによって前記フレームレートを変換するフレームレート変換部と、
該フレームレートと同期するように、前記画像形成部の駆動周波数を切換制御する駆動周波数制御部と、
を備える画像表示装置。
【請求項２】
請求項１記載の画像表示装置であって、
前記フレームレート変換部は、同一のフレームをｎ回繰り返して出力することによって、前記フレームレートを変換する、
画像表示装置。
【請求項３】
請求項１記載の画像表示装置であって、
前記フレームレート変換部は、時系列的に連続する２つのフレームに基づいて、該２つのフレーム間に挿入するための、（ｎ−１）枚の予測フレームを生成し、挿入することによって、前記フレームレートを変換する、
画像表示装置。
【請求項４】
請求項１記載の画像表示装置であって、
前記入力部は、前記動画像データとともに音声データを入力し、
更に、前記音声データを、該画像表示装置とは別体の音声出力装置に無線送信するための送信部を備える、
画像表示装置。
【請求項５】
請求項４記載の画像表示装置であって、更に、
前記音声出力装置側での音声の出力タイミングと前記画像形成部の画像形成タイミングとが同期するように、前記画像形成部の画像形成タイミングと前記送信部の送信タイミングとのうちの少なくとも一方を調整するタイミング調整部を備える、画像表示装置。
【請求項６】
請求項１記載の画像表示装置であって、更に、
所定の記録媒体から、前記動画像データを読み出す読み出し部を備え、
前記入力部は、前記読み出し部によって読み出された動画像データを入力する、
画像表示装置。
【請求項７】
所定の記録媒体に記録された動画像データを再生する再生装置であって、
前記記録媒体から、前記動画像データを読み出す読み出し部と、
前記動画像データのフレームレートを検出する検出部と、
前記フレームレートに基づいて、前記フレームレートの変換の要否を判断する判断部と、
前記フレームレートの変換が必要と判断されたときに、該フレームレートをｎ倍（ｎは２以上の整数）することによって前記フレームレートを変換するフレームレート変換部と、
前記動画像データを出力する出力部と、
を備える再生装置。
【請求項８】
駆動周波数を切り換え可能な画像形成部を備える画像表装置の制御方法であって、
（ａ）所定の動画像データを取得する工程と、
（ｂ）前記動画像データのフレームレートを検出する工程と、
（ｃ）前記フレームレートに基づいて、前記フレームレートの変換の要否を判断する工程と、
（ｄ）前記フレームレートの変換が必要と判断されたときに、該フレームレートをｎ倍（ｎは２以上の整数）することによって前記フレームレートを変換する工程と、
（ｅ）該フレームレートと同期するように、前記画像形成部の駆動周波数を切換制御する工程と、
を備える制御方法。
【請求項９】
所定の記録媒体に記録された動画像データを再生する再生方法であって、
（ａ）前記記録媒体から、前記動画像データを読み出す工程と、
（ｂ）前記動画像データのフレームレートを検出する工程と、
（ｃ）前記フレームレートに基づいて、前記フレームレートの変換の要否を判断する工程と、
（ｄ）前記フレームレートの変換が必要と判断されたときに、該フレームレートをｎ倍（ｎは２以上の整数）することによって前記フレームレートを変換する工程と、
（ｅ）前記動画像データを出力する工程と、
を備えるフレームレート変換方法。
【請求項１０】
駆動周波数を切り換え可能な画像形成部を備える画像表示装置を制御するためのコンピュータプログラムであって、
所定の動画像データを取得する機能と、
前記動画像データのフレームレートを検出する機能と、
前記フレームレートに基づいて、前記フレームレートの変換の要否を判断する機能と、
前記フレームレートの変換が必要であると判断されたときに、該フレームレートをｎ倍（ｎは２以上の整数）することによって前記フレームレートを変換する機能と、
該フレームレートと同期するように、前記画像形成部の駆動周波数を切換制御する機能と、
をコンピュータに実現させるためのコンピュータプログラム。
【請求項１１】
所定の記録媒体に記録された動画像データを再生するためのコンピュータプログラムであって、
前記記録媒体から、前記動画像データを読み出す機能と、
前記動画像データのフレームレートを検出する機能と、
前記フレームレートに基づいて、前記フレームレートの変換の要否を判断する機能と、
前記フレームレートの変換が必要と判断されたときに、該フレームレートをｎ倍（ｎは２以上の整数）することによって前記フレームレートを変換する機能と、
前記動画像データを出力する機能と、
をコンピュータに実現させるためのコンピュータプログラム。
【請求項１２】
請求項１０または１１記載のコンピュータプログラムをコンピュータ読み取り可能に記録した記録媒体。
【発明の詳細な説明】
【０００１】
【発明の属する技術分野】
本発明は、画像データに応じたフレームレートの変換に関する。
【０００２】
【従来の技術】
従来、いわゆるＤＶＤ（Ｄｉｇｉｔａｌ  Ｖｅｒｓａｔｉｌｅ  Ｄｉｓｋ）プレイヤが普及している。ＤＶＤプレイヤは、ＤＶＤに記録された動画像データを読み出し、テレビ受像機で表示可能なように、垂直同期周波数が６０（Ｈｚ）のインタレース信号に変換して出力する。また、ＤＶＤプレイヤは、ＤＶＤに記録された動画像データが毎秒２４フレームのフィルム映画の場合には、いわゆる２−３プルダウン方式テレシネ変換（以下、単にテレシネ変換という）を行って出力する。
【０００３】
近年では、ＤＶＤプレイヤとプロジェクタとを接続して、ＤＶＤプレイヤで再生された映画などの動画像をスクリーン上に拡大投写することも行われる。プロジェクタは、ＤＶＤプレイヤから受信した６０（Ｈｚ）のインタレース信号を、画像処理によってプログレッシブ（ノンインタレース）信号に変換して動画像の表示を行う。
【０００４】
【特許文献１】
特許第３１４５９９１号明細書
【０００５】
【発明が解決しようとする課題】
しかし、テレシネ変換では、連続する２つのフレームを２フレーム−３フレームという異なる割合で表示するため、フィルム映画の動画像を滑らかな動きで表示することが困難だった。更に、プロジェクタでは、インタレース信号をプログレッシブ信号に変換するＩＰ変換によって、画質の劣化を招いていた。これらの課題は、プロジェクタに限らず、プログレッシブ方式で動画像を表示する画像表示装置に共通の課題だった。
【０００６】
本発明は、上述の課題を解決するためになされたものであり、画像表示装置に表示される動画像の画質の劣化を抑制することを目的とする。
【０００７】
【課題を解決するための手段およびその作用・効果】
上述の課題の少なくとも一部を解決するため、本発明では、以下の構成を採用した。
本発明の画像表示装置は、
駆動周波数を切り換え可能な画像形成部に画像を表示する画像表示装置であって、
所定の動画像データを入力する入力部と、
前記動画像データのフレームレートを検出する検出部と、
前記フレームレートに基づいて、前記フレームレートの変換の要否を判断する判断部と、
前記フレームレートの変換が必要と判断されたときに、該フレームレートをｎ倍（ｎは２以上の整数）することによって前記フレームレートを変換するフレームレート変換部と、
該フレームレートと同期するように、前記画像形成部の駆動周波数を切換制御する駆動周波数制御部と、
を備えることを要旨とする。
【０００８】
フレームレートの検出は、種々の方法を採ることができる。入力部に入力される動画像データが、フレームレートを検出可能なデータを含んでいる場合には、検出部は、このデータによってフレームレートを検出することができる。例えば、ＤＶＤで用いられるＭＰＥＧ２で圧縮された動画像データにおける、画像の表示周期を表すフレームレートコードが相当する。フレームレートを検出可能なデータは、動画像データとは別に入力してもよい。また、検出部は、各フレームに含まれる同期信号に基づいてフレームレートを検出してもよい。
【０００９】
判断部は、検出部で検出されたフレームレートと、予め設定された所定値とを比較してフレームレートの変換の要否を判断する。検出されたフレームレートが、所定値よりも小さいときに変換が必要と判断するようにしてもよいし、所定値よりも大きいときに変換が必要と判断するようにしてもよいし、所定値のときに変換が必要と判断するようにしてもよい。例えば、動画像データが、フレームレートが２４（ｆｐｓ）のフィルム映画のときに、フレームレートの変換が必要であると判断するものとすることができる。画像表示装置は、ちらつき防止の観点から、画像形成部を２４（Ｈｚ）で駆動させることはないからである。
【００１０】
フレームレート変換部は、フレームレートをｎ倍することによってフレームレートの変換を行う。フレームレート変換部は、例えば、２４（ｆｐｓ）のフィルム映画のフレームレートを３倍の７２（ｆｐｓ）に変換することができる。こうすることによって、テレシネ変換などによって、各フレームを表示するためのフレーム画像の使用に偏りが生じないように、フレームレートの変換を行うことができる。
【００１１】
駆動周波数制御部は、フレームレート変換部での変換後のフレームレートと同期するように、画像形成部の駆動周波数を変換後のフレームレートのｍ倍（ｍは自然数）に相当する駆動周波数に切り換える。本発明によって、動画像の画質の劣化を抑制し、滑らかな動きを表示することができる。
【００１２】
本発明の画像表示装置において、
前記フレームレート変換部は、同一のフレームをｎ回繰り返して出力することによって、前記フレームレートを変換することができる。
【００１３】
こうすることによって、フレームレートの変換を簡易に行うことができる。
【００１４】
また、本発明の画像表示装置において、
前記フレームレート変換部は、時系列的に連続する２つのフレームに基づいて、該２つのフレーム間に挿入するための、（ｎ−１）枚の予測フレームを生成し、挿入することによって、前記フレームレートを変換するようにしてもよい。
【００１５】
こうすることによって、動画像を更に滑らかな動きで表示することができる。
【００１６】
本発明の画像表示装置において、
前記入力部は、前記動画像データとともに音声データを入力し、
更に、前記音声データを、該画像表示装置とは別体の音声出力装置に無線送信するための送信部を備えるようにすることができる。
【００１７】
画像表示装置が、例えば、プロジェクタである場合、画像表示装置がユーザの後方に設置され、音声出力装置がユーザの前方に設置される場合がある。この場合、画像表示装置から音声出力装置へ音声データを送信する必要がある。本発明では、音声データを無線通信送信するので、画像表示装置と離れた場所に設置された音声出力装置への配線の煩わしさを回避することができる。
【００１８】
上記画像表示装置において、更に、
前記音声出力装置側での音声の出力タイミングと前記画像形成部の画像形成タイミングとが同期するように、前記画像形成部の画像形成タイミングと前記送信部の送信タイミングとのうちの少なくとも一方を調整するタイミング調整部を備えるようにすることが好ましい。
【００１９】
画像表示装置側での動画像データの処理と音声出力装置側での音声データの処理とでは、処理タイミングにずれが生じる場合がある。本発明によって、画像表示装置での動画像の表示と音声出力装置での音声出力とのタイミングのずれを抑制することができる。タイミングのずれの調整量は、例えば、画像表示装置と音声出力装置との距離など、調整時間に関する情報をユーザが手入力するようにしてもよいし、また、画像表示装置内で自動設定されるようにしてもよい。
【００２０】
本発明の画像表示装置において、更に、
所定の記録媒体から、前記動画像データを読み出す読み出し部を備え、
前記入力部は、前記読み出し部によって読み出された動画像データを入力するようにしてもよい。
【００２１】
所定の記録媒体としては、ＤＶＤや、ＣＤや、ハードディスクなどが挙げられる。本発明によって、これらの記録媒体から動画像データを読み出して表示することができる。本発明は、ＤＶＤ等の再生装置を内蔵した画像表示装置としての構成である。
【００２２】
本発明は、再生装置の発明として構成することもできる。即ち、
本発明の再生装置は、
所定の記録媒体に記録された動画像データを再生する再生装置であって、
前記記録媒体から、前記動画像データを読み出す読み出し部と、
前記動画像データのフレームレートを検出する検出部と、
前記フレームレートに基づいて、前記フレームレートの変換の要否を判断する判断部と、
前記フレームレートの変換が必要と判断されたときに、該フレームレートをｎ倍（ｎは２以上の整数）することによって前記フレームレートを変換するフレームレート変換部と、
前記動画像データを出力する出力部と、
を備えることを要旨とする。
【００２３】
こうすることによって、先に画像表示装置の発明で説明したのと同様に、テレシネ変換などによって、各フレームを表示するためのフレーム画像の使用に偏りが生じないように、フレームレートの変換を行うことができる。従って、入力された動画像データのフレームレートに応じて駆動周波数を切り換え可能な画像形成部を備える画像表示装置を用いて動画像を滑らかに表示することができる。
【００２４】
本発明は、上述の画像表示装置、動画像データの再生装置としての構成の他、画像表示装置の制御方法、動画像データの再生方法の発明として構成することもできる。また、これらを実現するコンピュータプログラム、およびそのプログラムを記録した記録媒体、そのプログラムを含み搬送波内に具現化されたデータ信号など種々の態様で実現することが可能である。なお、それぞれの態様において、先に示した種々の付加的要素を適用することが可能である。
【００２５】
本発明をコンピュータプログラムまたはそのプログラムを記録した記録媒体等として構成する場合には、画像表示装置、再生装置を駆動するプログラム全体として構成するものとしてもよいし、本発明の機能を果たす部分のみを構成するものとしてもよい。また、記録媒体としては、フレキシブルディスクやＣＤ−ＲＯＭ、ＤＶＤ−ＲＯＭ、光磁気ディスク、ＩＣカード、ＲＯＭカートリッジ、パンチカード、バーコードなどの符号が印刷された印刷物、コンピュータの内部記憶装置（ＲＡＭやＲＯＭなどのメモリ）および外部記憶装置などコンピュータが読み取り可能な種々の媒体を利用できる。
【００２６】
【発明の実施の形態】
以下、本発明の実施の形態について、実施例に基づき以下の順序で説明する。Ａ．第１実施例：
Ａ１．プロジェクタの構成：
Ａ２．フレームレート変換処理：
Ｂ．第２実施例：
Ｃ．変形例：
【００２７】
Ａ．第１実施例：
Ａ１．プロジェクタの構成：
図１は、本発明の第１実施例としてのプロジェクタ１００の概略構成を示す説明図である。プロジェクタ１００は、レシーバ１４と、画像処理部２０と、液晶パネル駆動部３０と、液晶パネル３２とを備えている。また、液晶パネル３２を照明するための照明装置５０と、液晶パネル３２を透過した透過光をスクリーンＳＣ上に投写するための投写光学系５８とを備えている。
【００２８】
本実施例のプロジェクタ１００は、更に、ＤＶＤを再生する機能を有しており、読み出し部１０と、検出部１１と、判断部１２と、タイミング調整部１３と、音声データ送信部１５とを備えている。本実施例では、これらはハードウェア的に構成されているものとした。これらの少なくとも一部をソフトウェア的に構成するものとしてもよい。なお、本実施例では、スクリーンＳＣは、鑑賞者の前方に設置され、プロジェクタ１００は、鑑賞者の後方に設置されるものとした。そして、図示するように、スクリーンＳＣの両側それぞれに、プロジェクタ１００とは別体の音声出力装置ＳＰが設置されるものとした。
【００２９】
読み出し部１０は、ＤＶＤから動画像データおよび音声データを読み出す。ＤＶＤには、ＭＰＥＧ２で圧縮された動画像データが記録されている。検出部１１は、動画像データのフレームレートを検出する。ＤＶＤに記録されたＭＰＥＧ２で圧縮された動画像データには、画像の表示周期を表すフレームレートコードが含まれているので、検出部１１は、フレームレートコードによってフレームレートを検出することが可能である。
【００３０】
判断部１２は、検出部１１が検出したフレームレートに基づいて、フレームレートの変換の要否を判断する。本実施例では、ＤＶＤから読み出された動画像データのフレームレートが２４（ｆｐｓ）のとき、即ち、フィルム映画であるときに、フレームレートを７２（ｆｐｓ）に変換すべきであると判断するものとした。判断部１２は、また、フレームレートの変換が必要と判断したときに、後述する画像処理部２０のフレームレート変換部２２にフレームレートを７２（ｆｐｓ）に変換させるための信号を出力するとともに、液晶パネル駆動部３０に７２（Ｈｚ）で液晶パネル３２を駆動させるための信号を出力する。
【００３１】
タイミング調整部１３は、音声出力装置ＳＰでの音声の出力タイミングと液晶パネル３２の画像形成タイミングとが同期するように、レシーバ１４への動画像データＶＳ２の出力タイミングと音声データ送信部１５への音声データの出力タイミングとのうちの少なくとも一方を調整する。タイミング調整部１３は、例えば、プロジェクタ１００および音声出力装置ＳＰでの音声データの処理が、プロジェクタ１００での画像データの処理よりも遅れる場合は、画像処理部２０の処理タイミングを遅らせる。本実施例では、ユーザが画像の出力と音声の出力とを比較しながらタイミング調整のための調整値を入力するものとした。調整値は、自動設定されるようにしてもよい。こうすることによって、プロジェクタ１００での動画像の表示タイミングと音声出力装置ＳＰでの音声の出力タイミングとのずれを抑制することができる。
【００３２】
音声データ送信部１５は、読み出し部１０によって読み出された音声データを音声出力装置ＳＰに無線で送信する。無線送信は、電波を用いて送信するようにしてもよいし、赤外線など光を用いて送信するようにしてもよい。こうすることによって、プロジェクタ１００と離れた場所に設置された音声出力装置ＳＰへの配線の煩わしさを回避することができる。
【００３３】
レシーバ１４は、ＮＴＳＣ方式、ＰＡＬ方式等によるインタレース信号や、図示しないパーソナルコンピュータから供給されるアナログ画像信号あるいはディジタル画像信号など、信号フォーマットや垂直同期周波数の異なる画像信号ＶＳ１や、ＤＶＤから読み出した動画像データＶＳ２を入力し、画像処理部２０で処理可能な形式の画像データに変換する。動画像データＶＳ２は、プログレッシブ表示が可能なプログレッシブ信号であるものとする。
【００３４】
画像処理部２０は、レシーバ１４を介して入力された画像データに対して、輝度調整、コントラスト調整、シャープネス調整などの画質調整や、プロジェクタ１００によってあおり投写を行うときの台形歪補正等の各種画像処理を施す。また、画像処理部２０は、画像信号ＶＳ１がインタレース信号である場合には、液晶パネル３２でプログレッシブ表示を行うために、いわゆるＩＰ変換も行う。また、画像処理部２０は、フレームレート変換部２２を備えており、液晶パネル３２の駆動周波数に同期するように、画像データに対してフレームレートの変換処理も行う。フレームレート変換部２２は、また、判断部１２からの信号に応じて、フレームレートを７２（ｆｐｓ）に変換する処理も行う。
【００３５】
液晶パネル駆動部３０は、画像処理部２０で生成された画像データに基づいて、液晶パネル３２を駆動するための駆動信号を生成する。液晶パネル３２のリフレッシュレート（液晶パネル３２の駆動周波数）は、画像信号ＶＳ１、動画像データＶＳ２の種類によって、５０（Ｈｚ）、６０（Ｈｚ）、７２（Ｈｚ）の３種類で切り換えて設定可能である。例えば、画像信号ＶＳ１がＮＴＳＣ信号である場合、その垂直同期周波数が６０（Ｈｚ）であるので、液晶パネル３２の駆動周波数は、６０（Ｈｚ）に設定される。また、画像信号ＶＳ１がＰＡＬ信号である場合、その垂直同期周波数が５０（Ｈｚ）であるので、液晶パネル３２の駆動周波数は、５０（Ｈｚ）に設定される。また、動画像データＶＳ２がフィルム映画である場合、判断部１２からの信号に応じて、液晶パネル３２の駆動周波数は、７２（Ｈｚ）に設定される。また、動画像データＶＳ２が、６０（ｆｐｓ）のビデオ画像データである場合には、液晶パネル３２の駆動周波数は、６０（Ｈｚ）に設定される。液晶パネル３２の駆動周波数は、更に多くの種類で切り換えて設定可能としてもよい。
【００３６】
液晶パネル３２は、液晶パネル駆動部３０で生成された駆動信号に応じて照明光を変調する。液晶パネル３２は、透過型の液晶パネルであり、照明装置５０から射出された照明光を変調するライトバルブ（光変調器）として使用されている。
【００３７】
なお、図示は省略しているが、このプロジェクタ１００は、ＲＧＢの３色分の３枚の液晶パネル３２を備えている。また、各回路は３色分の画像データを処理する機能を備えている。照明装置５０は、白色光を３色の光に分離する色光分離光学系を備えている。また、投写光学系５８は、３色の画像光を合成してカラー画像を表す画像光を生成する合成光学系を備えている。
【００３８】
Ａ２．フレームレート変換処理：
図２は、フレームレート変換処理の流れを示すフローチャートである。まず、読み出し部１０によって、ＤＶＤから動画像データを取得する（ステップＳ１００）。先に説明したように、この動画像データは、プログレッシブ表示が可能なデータである。次に、検出部１１によって、動画像データのフレームレートを検出する（ステップＳ１１０）。次に、判断部１２によって、フレームレートの変換の要否を判断する（ステップＳ）。動画像データのフレームレートが２４（ｆｐｓ）の場合、即ち、フィルム映画の場合は、フレームレートの変換が必要と判断し、フレームレート変換部２２によって、フレームレートを２４（ｆｐｓ）の３倍の７２（ｆｐｓ）に変換する（ステップＳ１３０）。動画像データのフレームレートが６０（ｆｐｓ）の場合は、フレームレートの変換を行わない。以上の処理によってフレームレート変換処理を終了する。
【００３９】
本実施例では、上述したステップＳ１３０におけるフレームレートの変換は、以下のようにして行う。図３は、第１実施例におけるフィルム映画のフレームレートの変換の様子を示す説明図である。図３の上段には、フレームレートの変換前のフィルム映画のフレーム画像を示した。１／２４（ｓｅｃ）ごとにフレーム画像Ａ→フレーム画像Ｂ→フレーム画像Ｃと切り換わる様子を示している。図３の下段には、フレームレートの変換後のフレーム画像を示した。１／７２（ｓｅｃ）ごとにフレーム画像Ａ→フレーム画像Ａ→フレーム画像Ａ→フレーム画像Ｂ→…と切り換わる様子を示している。図示するように、本実施例のフレームレートの変換では、同一のフレーム画像をそれぞれ３回ずつ繰り返して出力することによって、毎秒７２フレームのフレーム画像に変換する。こうすることによって、フレームレートの変換を簡易に行うことができる。
【００４０】
以上説明した第１実施例のプロジェクタ１００によれば、ＤＶＤに記録されたフィルム映画を再生するときに、テレシネ変換や、ＩＰ変換を行う必要がないので、動画像の画質の劣化を抑制し、滑らかな動きを表示することができる。
【００４１】
Ｂ．第２実施例：
上記第１実施例では、ＤＶＤの再生機能を有するプロジェクタ１００について示したが、第２実施例では、プロジェクタとは別体のＤＶＤ再生装置について説明する。図４は、本発明の第２実施例としてのＤＶＤ再生装置２００の概略構成を示す説明図である。ＤＶＤ再生装置２００は、図示する各機能ブロックをハードウェア的に備えている。これらの少なくとも一部をソフトウェア的に備えるようにしてもよい。
【００４２】
読み出し部２１０は、ＤＶＤから動画像データおよび音声データを読み出す。信号生成部２２０は、ＤＶＤから読み出されたプログレッシブ信号を、テレビ受像機で表示可能なように、インタレース信号に変換する。信号生成部２２０は、更に、ＤＶＤから読み出された動画像データが、フレームレートが２４（ｆｐｓ）のフィルム映画である場合には、テレシネ変換を行う。第１出力部２３０は、読み出し部２１０によって読み出された音声データと、信号生成部２２０で生成されたインタレース信号とを出力する。これらは、テレビ受像機などインタレース信号を入力して画像を表示する画像表示装置に入力される。
【００４３】
検出部２４０は、読み出し部２１０によって読み出された動画像データのフレームレートを検出する。判断部２５０は、検出部２４０が検出したフレームレートに基づいて、フレームレートの変換の要否を判断する。本実施例においても、第１実施例と同様に、ＤＶＤから読み出された動画像データのフレームレートが２４（ｆｐｓ）のとき、即ち、フィルム映画であるときに、フレームレートを７２（ｆｐｓ）に変換すべきであると判断するものとした。判断部２５０は、また、フレームレートの変換が必要と判断したときに、フレームレート変換部２６０にフレームレートを７２（ｆｐｓ）に変換させるための信号を出力する。フレームレート変換部２６０は、判断部１２からの信号に応じて、フレームレートを２４（ｆｐｓ）の３倍の７２（ｆｐｓ）に変換する。
【００４４】
フレームレート変換部２６０は、動画像データのフレームレートが６０（ｆｐｓ）の場合は、フレームレートの変換を行わない。即ち、第２実施例においても、図２に示した第１実施例と同様のフレームレート変換処理を行う。
【００４５】
第２出力部２７０は、読み出し部２１０によって読み出された音声データと、フレームレート変換部２６０で処理された６０（ｆｐｓ）、あるいは、７２（ｆｐｓ）のプログレッシブ信号とを出力する。これらは、プログレッシブ信号を入力し、そのフレームレートに応じて画像の表示周期を変更可能な画像表示装置に入力される。
【００４６】
以上説明した第２実施例のＤＶＤ再生装置２００によれば、ＤＶＤから読み出した２４（ｆｐｓ）のフィルム映画の動画像データを、テレシネ変換を行わずに、また、６０（ｆｐｓ）の動画像データをインタレース信号への変換を行わずに、プログレッシブ信号で出力することができる。こうすることによって、画像表示装置は、ＩＰ変換を行う必要がないため、画質を劣化させずにＤＶＤに記録された動画像を表示することができる。
【００４７】
Ｃ．変形例：
以上、本発明のいくつかの実施の形態について説明したが、本発明はこのような実施の形態になんら限定されるものではなく、その要旨を逸脱しない範囲内において種々なる態様での実施が可能である。例えば、以下のような変形例が可能である。
【００４８】
Ｃ１．変形例１：
上記第１および第２実施例では、フィルム映画のフレームレートの変換において、同一フレーム画像を繰り返して出力することによって、フレームレートの変換を行ったが、これに限られない。図５は、変形例におけるフィルム映画のフレームレートの変換の様子を示す説明図である。図５の上段には、フレームレートの変換前のフィルム映画のフレーム画像を示した。図５の下段には、フレームレートの変換後のフレーム画像を示した。図５の下段において、フレーム画像Ａとフレーム画像Ｂとの間に挿入されたフレーム画像Ａ１、Ａ２は、フレーム画像Ａとフレーム画像Ｂとに基づいて生成された予測フレーム画像である。フレーム画像Ｂとフレーム画像Ｃとの間に挿入されたフレーム画像Ｂ１、Ｂ２は、フレーム画像Ｂとフレーム画像Ｃとに基づいて生成された予測フレーム画像である。フレーム画像Ｃとフレーム画像Ｄとの間に挿入されたフレーム画像Ｃ１、Ｃ２は、フレーム画像Ｃとフレーム画像Ｄとに基づいて生成された予測フレーム画像である。本実施例では、フレームレートを２４（ｆｐｓ）から７２（ｆｐｓ）へ変換するため、２枚の予測フレーム画像を生成するものとした。例えば、フレームレートを４倍にする場合には、予測フレーム画像を３枚生成して挿入するようにすればよい。このように、予測フレーム画像を生成し、挿入してフレームレートの変換を行うことによって、第１実施例よりも更に滑らかな動きでフィルム映画を表示することができる。
【００４９】
Ｃ２．変形例２：
上記第２実施例では、ＤＶＤ再生装置２００でフレームレートの変換を行ったが、フレームレートの変換を行わないようにしてもよい。つまり、ＤＶＤ再生装置は、検出部２４０と、判断部２５０と、フレームレート変換部２６０とを除いた構成となる。即ち、読み出し部２１０によって読み出された、フレームレートが２４（ｆｐｓ）、あるいは、６０（ｆｐｓ）のプログレッシブ信号を、第２出力部２７０が出力する。この場合、入力された動画像データのフレームレートに応じて画像の表示周期を変更可能な画像表示装置側に、ＤＶＤ再生装置２００が備えていた検出部２４０と、判断部２５０と、フレームレート変換部２６０とに相当する機能ブロックを備えるようにすればよい。
【００５０】
Ｃ３．変形例３：
上記第２実施例では、本発明をＤＶＤ再生装置に適用した場合について示したが、これに限られない。本発明は、一般に、ハードディスクやＣＤなどの記録媒体に記録された動画像データを再生する再生装置に適用可能である。
【００５１】
また、上記実施例では、動画像データがＭＰＥＧ２で圧縮されているものとしたが、これに限らない。動画像データは、他の圧縮方式で圧縮されていてもよい。また、圧縮されていなくてもよい。従って、検出部は、各フレームの同期信号など、フレームレートコード以外の情報によって動画像のフレームレートを検出するようにしてもよい。
【００５２】
Ｃ４．変形例４：
上記第１実施例では、本発明をプロジェクタに適用した場合について示したが、これに限られない。本発明は、液晶パネルやＣＲＴなどを備える、プログレッシブ表示を行う画像表示装置に適用可能である。
【図面の簡単な説明】
【図１】本発明の第１実施例としてのプロジェクタ１００の概略構成を示す説明図である。
【図２】フレームレート変換処理の流れを示すフローチャートである。
【図３】第１実施例におけるフィルム映画のフレームレートの変換の様子を示す説明図である。
【図４】本発明の第２実施例としてのＤＶＤ再生装置２００の概略構成を示す説明図である。
【図５】変形例におけるフィルム映画のフレームレートの変換の様子を示す説明図である。
【符号の説明】
１００…プロジェクタ
１０…読み出し部
１１…検出部
１２…判断部
１３…タイミング調整部
１４…レシーバ
１５…音声データ送信部
２０…画像処理部
２２…フレームレート変換部
３０…液晶パネル駆動部
３２…液晶パネル
５０…照明装置
５８…投写光学系
２００…ＤＶＤ再生装置
２１０…読み出し部
２２０…信号生成部
２３０…第１出力部
２４０…検出部
２５０…判断部
２６０…フレームレート変換部
２７０…第２出力部
ＳＣ…スクリーン
ＳＰ…音声出力装置
【図１】
2004159191.tif 000003
【図２】
2004159191.tif 000004
【図３】
2004159191.tif 000005
【図４】
2004159191.tif 000006
【図５】
2004159191.tif 000007
【手続補正書】
【提出日】平成15年12月17日(2003.12.17)
【手続補正１】
【補正対象書類名】明細書
【補正対象項目名】００３８
【補正方法】変更
【補正の内容】
【００３８】
Ａ２．フレームレート変換処理：
図２は、フレームレート変換処理の流れを示すフローチャートである。まず、読み出し部１０によって、ＤＶＤから動画像データを取得する（ステップＳ１００）。先に説明したように、この動画像データは、プログレッシブ表示が可能なデータである。次に、検出部１１によって、動画像データのフレームレートを検出する（ステップＳ１１０）。次に、判断部１２によって、フレームレートの変換の要否を判断する（ステップＳ１２０）。動画像データのフレームレートが２４（ｆｐｓ）の場合、即ち、フィルム映画の場合は、フレームレートの変換が必要と判断し、フレームレート変換部２２によって、フレームレートを２４（ｆｐｓ）の３倍の７２（ｆｐｓ）に変換する（ステップＳ１３０）。動画像データのフレームレートが６０（ｆｐｓ）の場合は、フレームレートの変換を行わない。以上の処理によってフレームレート変換処理を終了する。


【手続補正２】
【補正対象書類名】明細書
【補正対象項目名】００４３
【補正方法】変更
【補正の内容】
【００４３】
検出部２４０は、読み出し部２１０によって読み出された動画像データのフレームレートを検出する。判断部２５０は、検出部２４０が検出したフレームレートに基づいて、フレームレートの変換の要否を判断する。本実施例においても、第１実施例と同様に、ＤＶＤから読み出された動画像データのフレームレートが２４（ｆｐｓ）のとき、即ち、フィルム映画であるときに、フレームレートを７２（ｆｐｓ）に変換すべきであると判断するものとした。判断部２５０は、また、フレームレートの変換が必要と判断したときに、フレームレート変換部２６０にフレームレートを７２（ｆｐｓ）に変換させるための信号を出力する。フレームレート変換部２６０は、判断部２５０からの信号に応じて、フレームレートを２４（ｆｐｓ）の３倍の７２（ｆｐｓ）に変換する。